(57)【特許請求の範囲】
【請求項１】
エネルギー伝達要素であって、
エネルギー伝達要素コアと、
前記エネルギー伝達要素コアの回りに巻かれた第１の巻線と、
前記第１の巻線が容量結合する、前記エネルギー伝達要素コアの回りに巻かれた第２の巻線と、
前記第１の巻線と前記第２の巻線との間の容量性変位電流を大幅に低減させるために、前記第１の巻線と前記第２の巻線との間のエネルギー伝達要素コアの回りに巻かれた、前記第１の巻線に結合された第３の巻線と前記第２の巻線に結合された第４の巻線と、
前記エネルギー伝達要素コアに対して前記第１の巻線及び前記第２の巻線によって生成された相対静電界を大幅に相殺して、前記第１の巻線と前記第２の巻線との間の容量性変位電流を大幅に低減させるための、前記エネルギー伝達要素コアの回りに巻かれた第５の巻線静電界を生成する第５の巻線と、
を備え、
前記第１の巻線は、前記エネルギー伝達要素の入力巻線および出力巻線のうちの一方であり、前記第２の巻線は、前記入力巻線および前記出力巻線のうちの他方であることを特徴とするエネルギー伝達要素。
【請求項２】
エネルギー伝達要素であって、
エネルギー伝達要素コアと、
前記エネルギー伝達要素コアの回りに巻かれた第１の巻線と、
前記エネルギー伝達要素コアの回りに巻かれた、前記第１の巻線と共に電気アースに容量結合された第２の巻線と、
前記エネルギー伝達要素コアの回りに巻かれた、前記第１の巻線に結合された第３の巻線と、
前記エネルギー伝達要素コアの回りに巻かれ且つ前記第２の巻線に結合され、前記第３の巻線と共に第３の巻線静電界と第４の巻線静電界を生成して、前記第１の巻線と前記第２の巻線との間の容量性変位電流を大幅に低減させる第４の巻線と、
を備え、
前記第１の巻線は、前記エネルギー伝達要素の入力巻線および出力巻線のうちの一方であり、前記第２の巻線は、前記入力巻線および前記出力巻線のうちの他方であることを特徴とするエネルギー伝達要素。
【請求項３】
前記エネルギー伝達要素コアの回りに巻かれ且つ前記第１の巻線に結合された第５の巻線を備え、前記第５の巻線が、第５の巻線静電界を生成し、前記エネルギー伝達要素コアに対して前記第１、第２、第３、第４の巻線によって生成された相対静電界を相殺して、前記エネルギー伝達要素コアと電気アースとの間の容量性変位電流を大幅に低減させるように巻かれていることを特徴とする請求項２に記載のエネルギー伝達要素。
【請求項４】
前記第５の巻線は、前記第１の巻線に電気的に結合されることを特徴とする請求項３に記載のエネルギー伝達要素。
【請求項５】
前記第５の巻線は、前記第２の巻線に電気的に結合されることを特徴とする請求項３に記載のエネルギー伝達要素。
【請求項６】
前記第１の巻線は前記第２の巻線に容量結合され、前記第５の巻線静電界は、前記エネルギー伝達要素コアに対して前記第１の巻線及び第２の巻線によって生成される相対静電界を大幅に相殺して、前記第１の巻線及び第２の巻線と前記エネルギー伝達要素コアとの間の容量性変位電流を大幅に低減させることを特徴とする請求項３に記載のエネルギー伝達要素。
【請求項７】
前記第５の巻線は、前記第１の巻線の第１の層に含まれる第１の巻線のパーセンテージ部分の関数に少なくとも一部基づく巻数で、前記エネルギー伝達要素コアの回りに巻かれることを特徴とする請求項５に記載のエネルギー伝達要素。
【請求項８】
前記第１の巻線は、前記第２の巻線よりも前記エネルギー伝達要素コアに近接して物理的に巻かれることを特徴とする請求項３に記載のエネルギー伝達要素。
【請求項９】
前記第５の巻線は、前記第１の巻線よりも前記エネルギー伝達要素コアに近接して物理的に巻かれることを特徴とする請求項８に記載のエネルギー伝達要素。
【請求項１０】
前記エネルギー伝達要素は、フライバック変圧器に含まれることを特徴とする請求項２に記載のエネルギー伝達要素。
【請求項１１】
前記エネルギー伝達要素は、フォワードコンバータ変圧器に含まれることを特徴とする請求項２に記載のエネルギー伝達要素。
【請求項１２】
前記エネルギー伝達要素は、電源に含まれることを特徴とする請求項２に記載のエネルギー伝達要素。
【請求項１３】
前記入力巻線と前記出力巻線とは、異なる巻数を有し、高いほうの巻数を有する巻線は、変位電流の主な発生源である、請求項２に記載のエネルギー伝達要素。
【請求項１４】
前記出力巻線は、交互にされた複数の出力巻線のうちの１つである、請求項２に記載のエネルギー伝達要素。
【請求項１５】
前記入力巻線と前記出力巻線とは、異なる巻数を有し、高いほうの巻数を有する巻線は、変位電流の主な発生源である、請求項１に記載のエネルギー伝達要素。
【請求項１６】
前記出力巻線は、交互にされた複数の出力巻線のうちの１つである、請求項１に記載のエネルギー伝達要素。
【発明の詳細な説明】
【技術分野】
【０００１】
本出願は、  ２００１年３月８日出願の米国仮出願番号第６０／２７４、６８９号、２００１年８月３１日出願の米国仮出願番号第６０／３１６、５６５号に対する優先権を主張する２００２年１月１７日出願の米国特許第ＵＳ６、５４９、４３１号の継続出願である２００３年３月１９日出願の米国出願番号第１０／３９２、９９８号の一部継続出願であり、これに対して優先権を請求する。
本発明は、一般的に、エネルギー伝達要素に関し、更に具体的には、複数巻線を有するエネルギー伝達要素に関する。
【背景技術】
【０００２】
図１は、フライバック電源１０１の概略図を示す。フライバックコンバータ１０１の基本動作は、十分に文献に記載されており、当業者には公知である。一次スイッチ１０３は、必須ではないが、一般的には図示のような電源の二次側からのフィードバック制御信号１０５によって制御される。エネルギー伝達要素、すなわち変圧器１０７の巻線は、巻線電圧の位相関係を示すのに使用されるドット極性を有する。両巻線間で電圧が遷移している間、巻線のドット端部は同相である。
【０００３】
図２は、電源２０１の概略図であり、変圧器コアと電気アースとの間に存在する寄生キャパシタンス２０９、入力及び出力巻線と変圧器コアとの間に存在する寄生キャパシタンス２１１、並びに変圧器の入力巻線と出力巻線との間に存在する寄生キャパシタンス２１３を表示して図１の概略図を詳細に説明している。通常、変圧器コアは、変圧器２０７の入力巻線と出力巻線とを結合する磁束に対して低いリラクタンス経路を提供するために、変圧器構造において使用されるフェライトコアである。図２に注記されているように、変圧器の出力と電気アースとの間の寄生キャパシタンス２１５は、用途又は電気雑音測定が行なわれる方法に応じて短絡される場合がある。
【０００４】
電源２０１の正常な動作中、変圧器２０７の入力巻線間と出力巻線間の両端の電圧は、標準フライバック電源動作に従って遷移する。これらの遷移は、図示された種々の寄生キャパシタンス２０９、２１１、２１３、２１５によって電気アースに変位電流を生成する。これらの変位電流は、共通モード雑音（又はエミッション）として検出され、ライン入力安定化ネットワーク（ＬＩＳＮ）と呼ばれる１つのテスト装置によって測定される。この装置の構成と接続は、十分に文献に記載されており、当業者には公知である。
【０００５】
図２はまた、ＹコンデンサであるコンデンサＣｙ２１７を強調しており、これは、共通モードエミッションを低減させるために電源をスイッチングする際に通常使用される。この構成要素、コンデンサＣｙ２１７は、電気アースを通って流れずにこれらのソースに戻るように、変圧器２０７の入力巻線と出力巻線との間に流れる変位電流のための低インピーダンス経路を提供する。コンデンサＣｙ２１７の電流は、ＬＩＳＮによっては検出されず、従ってその使用は、共通モードエミッションを低減させるよう機能する。
【０００６】
【特許文献１】米国仮出願番号第６０／２７４、６８９号
【特許文献２】米国仮出願番号第６０／３１６、５６５号
【特許文献３】米国特許第ＵＳ６、５４９、４３１号
【特許文献４】米国出願番号第１０／３９２、９９８号
【発明の開示】
【課題を解決するための手段】
【０００７】
エネルギー伝達要素入力巻線とエネルギー伝達要素出力巻線とを有するエネルギー伝達要素が開示される。１つの態様では、エネルギー伝達要素入力巻線は、エネルギー伝達要素出力巻線に容量結合される。エネルギー伝達要素は電気アースに容量結合される。１つ又はそれ以上の追加の巻線が、エネルギー伝達要素の一部として導入される。１つ又はそれ以上の追加の巻線は、追加の巻線の物理的な位置と巻数との選択によって電気アースに対してエネルギー伝達要素内の全ての巻線によって生成される静電界を相殺することにより、エネルギー伝達要素入力巻線とエネルギー伝達要素出力巻線との間、及び／又はエネルギー伝達要素と電気アースとの間に生成される相対静電界を平衡させることにより、エネルギー伝達要素入力巻線とエネルギー伝達要素出力巻線との間の容量性変位電流を大幅に低減させる。本発明の別の特徴及び利点は、以下に示される詳細な説明及び図面から明らかになるであろう。
【発明を実施するための最良の形態】
【０００８】
本発明は、添付図面において例証として詳細に示されるが、これらに限定されるものではない。
巻線構成要素によって生成される電気アース変位電流を低減させるための方法及び装置の実施形態が開示される。以下の説明においては、本発明を完全に理解させるために多数の特定の詳細が示されている。しかしながら、本発明を実施するために特定の詳細を用いる必要がないことは、当業者には明らかであろう。他の場合においては、よく知られた材料又は方法は、本発明を曖昧にしないために詳細には説明されていない。
【０００９】
本明細書を通して、「１つの実施形態」或いは「ある実施形態」への言及は、実施形態に関連して説明される特定の特徴、構造、又は特性が、本発明の少なくとも１つの実施形態に含まれることを意味する。従って、本明細書を通して種々の箇所で出現する用語「１つの実施形態では」又は「ある実施形態では」は、必ずしも全て同じ実施形態を指すものではない。更に、特定の特徴、構造、又は特性は、１つ又はそれ以上の実施形態において任意の適切な方法で組み合わせることができる。
【００１０】
電源回路をスイッチングすることによって生じる電気雑音の原因は、十分に文献に記載されており、当業者には公知である。本発明は、具体的には、スイッチング電源の動作中に、一般に電源変圧器と呼ばれるエネルギー伝達要素によって生じる共通モード雑音の低減に対応する。
【００１１】
これらの技術は、フライバックやフォワードコンバータに適用できるので、変圧器は、より正確にはエネルギー伝達要素と呼ばれる。しかしながら、本明細書で検討される特定の実施形態では、フライバック回路の例が検討され、更にエネルギー伝達要素は変圧器として参照される。
【００１２】
本明細書で説明される本発明の種々の実施形態は、電源によって生成される電気アース電流を大幅に低減し、Ｙコンデンサを使用するための要件を排除すること、或いはＹコンデンサの必要な値を低減させることによって、システムコストを低減させることができる変圧器構造において使用される技術を提供する。Ｙコンデンサの値の低減又はＹコンデンサを排除することは、安全絶縁出力とＡＣ入力ラインとの間の漏れ電流を低減させる。これは、例えば限定ではないが、携帯電話の用途又はこれに類するものといった、出力がユーザーと接触する可能性がある用途において有利である。
【００１３】
特に、本明細書で説明される技術の種々の実施形態は、一次側と二次側巻線の間、及び変圧器のコアと電気アースとの間でスイッチング電源に通常流れる容量性変位電流を大幅に低減させることができる。１つの実施形態では、この低減は変圧器の巻線を追加することで達成される。１つの実施形態では、これらの追加の巻線の巻数が、主巻線によって生成される差動静電界を相殺し均衡させるために、主巻線の巻数に基づいて具体的に選択される。変位電流が他の装置を干渉しないように、これらの変位電流のために、スイッチング電源の設計に、例えば外部構成要素の形態などの追加の処置を必要とする。従って、本発明の種々の実施形態によれば、本開示の利点を有さない設計者に必要となる特定の電源構成要素を除去することによって、システムコストを低減させることができる。
【００１４】
概略的に言えば、スイッチング電源の動作によって生成され電気アースに流れる変位電流は、他の装置への電磁障害（ＥＭＩ）を引き起こすことがある共通モードエミッションとしても知られる電気雑音として測定される。従って、これらの電流を規制機関によって国際的に設定されている規制限界未満に維持することが必要である。スイッチング電源の変圧器は、２つの経路で電気アースに流れる変位電流を生成する。
【００１５】
上記２つの経路の１つは、変圧器のコアと電気アースとの間の変位電流の流れである。この電流は、変圧器のコアに容量結合する変圧器巻線の電圧遷移によって生成される。次に、この電流は、変圧器のコアと電気アースとの間の自由空間を通って容量的に流れる。
【００１６】
他の経路は、変圧器の一次巻線と二次巻線との間の変位電流の流れであり、これらの巻線間の電位差によって設定される。これらの巻線間の電位差は、巻線間キャパシタンスに流れる電流を生成する。この変位電流は、その１つが電気アースである並列経路を通ってソースに戻ることになる。
【００１７】
本発明の種々の実施形態は、変圧器構造内での１つ又はそれ以上の追加の巻線の使用に関して説明しており、該巻線は、スイッチング電源動作中に発生する入力巻線と出力巻線との間の相対静電界の平衡と相殺を行うために、変圧器巻線の自然電圧変動を用いる。１つの実施形態では、これらの追加の巻線の設計は、使用される巻数とその物理的な位置決めの両方に関して特定の変圧器に固有のものである。これらの技術を使用することによって、変圧器巻線と変圧器の物理構造との間の電気アースへ流れる変位電流が大幅に低減される。これは、共通モードエミッションを低減させるために使用されるＹコンデンサなどの外部構成要素のコストを排除又は低減させる。
【００１８】
説明するために、図３Ａに変圧器３０１の簡単な概略図を示す。入力巻線３０３の２つの端部は、ノードＡ、Ｂで表示されている。出力巻線３０５の２つの端部は、ノードＣ、Ｄで表示されている。本説明のために、変圧器の物理コア３０７は、別のノードＥで表示されている。巻線３０３と３０５のドット極性は、ノードＢがノードＡに対して正になるように入力巻線３０３に電圧遷移がある場合、ノードＤの電圧がノードＣに対して増加する。
【００１９】
上述のように、これらの電圧遷移は、寄生キャパシタンスの変位電流を生じ、その結果として電気アースに流れる電流を生じる。以下で説明されるように、本発明の１つの実施形態において、これらの電気アース電流を大幅に低減させるために追加の巻線が設けられる。
【００２０】
特に１つの実施形態では、巻線技術を用いて、変圧器巻線３０３、３０５と変圧器コア３０７との間の変位電流を低減させる。変圧器３０１の構成においては、巻線３０３、３０５の一方が、通常、他方の巻線よりも変圧器コア３０７のより近傍にある。更に、巻線３０３又は３０５の一方は、典型的には、その両端でより高い電圧遷移を有する。
【００２１】
例えば、図３Ｂは、入力巻線３０３のノードＢが変圧器コア３０７の最も近くに巻かれている場合の層巻にされたフライバック変圧器３０１の典型的な断面図を示す。出力巻線３０５は、入力巻線３０３の外側に巻かれており、従って、変圧器コア３０７から更に物理的に離れているので、巻線３０３、３０５と変圧器コア３０７との間の変位電流の生成に対して影響はより少ない。
【００２２】
図４Ａは、この場合、一次入力巻線４０３の配置が変圧器コア４０７変位電流に対して巻線に最も大きな影響を与えるので、一次入力巻線４０３に結合させたキャンセル巻線４０９を設けた変圧器４０１の１つの実施形態の概略図を示す。
【００２３】
図４Ｂは、ノードＦとＧとの間にキャンセル巻線４０９を有する変圧器４０１の１つの実施形態の断面図を示す。図示された実施形態に示されるように、ノードＦはノードＡに接続され、ノードＧは電気的に結合されないままである。１つの実施形態では、キャンセル巻線４０９のドット極性は、その静電界が入力巻線４０３によって生成された静電界と反対である。
【００２４】
１つの実施形態では、このキャンセル巻線４０９で使用される巻数の正確な選択は、経験的最適化技術に基づいて決定される。１つの実施形態では、考慮される変数は、一次入力巻線４０３の第１の層によって見られる一次巻線電圧全体のパーセンテージを含み、これは３層あるので、図４ｂで説明される実施形態では３３％である。しかしながら、入力巻線４０３の第１の層は、キャンセル巻線４０９が存在するために、変圧器コア４０７からは離れており、その静電界は変圧器コア４０７でより弱くなる。このようにして、キャンセル巻線４０７は、一般に、キャンセレーションをもたらすために入力巻線４０３の第１の層より少ない巻数を必要とする。
【００２５】
１つの実施形態では、全ての巻線４０３、４０５、４０９からの影響は少ないので、厳密なキャンセレーションはより複雑であり、従って経験的な技術により効率的な最適化が得られる。１つの実施形態では、正味の効果として、変圧器コア４０７に対して変圧器構造の他の巻線によって生じた静電界の影響が、キャンセル巻線４０９によって生成された静電界によって相殺される。従って、変圧器巻線と変圧器コアとの間の変位電流は、静電界が完全に相殺される場合には、理論的にはゼロである。実際の効果は、正味の変位電流を大幅に低減させることになる。
【００２６】
別の実施形態では、二次巻線技術が、入力巻線と出力巻線との間に流れる変位電流を低減させるのに使用される。説明のために、図５Ａは、この追加の巻線を有する変圧器５０１の概略図を示しており、この追加の巻線は、正味の効果が変圧器５０１の入力巻線５０３と出力巻線５０５との間に生成される静電界を平衡させることであるので、平衡巻線５１１と呼ばれる。図５Ａの変圧器５０１、及び図５Ｂで説明された変圧器５０１の断面図は、上述のキャンセル巻線５０９と関連して平衡巻線５１１を示している。
【００２７】
図５Ａに示された実施形態では、ノードＨとＩとの間の平衡巻線５１１は、ノードＨがノードＡに接続されるようなドット極性で入力巻線５０３に結合されている。図５Ｂに示された実施形態では、変圧器５０１の断面が平衡巻線５１１を含んだ形で示されている。他の実施形態では、平衡巻線５１１は、以下に説明される実施形態と同様に、どの巻線が変位電流の主な発生源であるかに応じて、出力巻線５０５に接続される。入力巻数より出力巻数の多い回路では、出力巻線５０５が主な発生源と見なすことができ、この場合、平衡巻線５１１の最適な接続は、出力巻線５０５に結合することである。
【００２８】
図５Ａに示される実施形態では、一次入力巻線５０３が主な発生源であると仮定され、追加の平衡巻線５１１が、入力巻線５０３によって生成される静電界と反対方向となるように設計される。１つの実施形態では、平衡巻線５１１と入力巻線５０３の組合せからの正味の静電界が、出力巻線５０５によって生成される静電界と正確に一致するように巻数が選択される。これが達成されると、一次回路と二次回路との間の電界差はゼロであり、変位電流もゼロである。実際の効果は、正味の変位電流を大幅に低減させることになる。
【００２９】
図６Ａ及び６Ｂで示される実施形態は、変圧器６０１の入力巻線６０３と出力巻線６０５との間の正味の変位電流と、変圧器のコアと電気アースとの間の自由空間を容量的に流れる変位電流とを大幅に低減させるための別の技術を示す。詳細には、図６Ａは、平衡巻線６１１が巻かれた変圧器６０１の概略図であり、図６Ｂは、本発明の教示による平衡巻線６１１を有する変圧器６０１の断面を示す。図６Ａ、６Ｂに示される技術では、平衡巻線６１１は、変圧器６０１の構造の出力巻線６０５の外側に位置付けられる。平衡巻線６１１のドット極性は、入力巻線６０３によって生成された静電界を出力巻線６０５に対して逆方向になるようにされる。
【００３０】
図６Ａ、６Ｂにおけるノード表示を参照すると、出力巻線６０５のノードＤは、主入力巻線６０３と出力巻線６０５との間の相対静電界を低減させるように位置付けられる。しかしながら、図示された実施形態では、入力巻線６０３は３層を有し、従って一次入力巻線６０３の両端の電圧の３３％が、出力巻線６０５に隣接する最も外側の層に見られる。一般的な設計では、出力巻線６０５が一次入力巻線６０３の外側の層よりも巻数が少ないので、入力巻線６０３は変位電流の主な発生源である。ノードＡとＦを電気的に結合することによって、ノードＧは入力巻線６０３によって生成された静電界と逆方向になる。従って、巻数の適切な選択は入力巻線６０３と出力巻線６０５との間の正味の変位電流を大幅に低減させる。
【００３１】
変圧器構造内の他の巻線の外側に平衡巻線６１１を位置付けることは、その静電界が入力巻線６０３の静電界と変圧器６０１の物理コア６０７に対して逆方向になることを意味する。このようにして、この実施形態の平衡巻線６１１はまた、図４の別個のキャンセル巻線４０９によって前に提供された、変圧器のコアと電気アースとの間の自由空間を通って容量結合される変位電流のキャンセレーションの程度を与える。
【００３２】
この単一の巻線技術は、入力巻線６０３と出力巻線６０５が変圧器構造で物理的により近接しているので、これらの２つの巻線間の漏れインダクタンスを低減させる利点を提供する。
【００３３】
上述のキャンセレーション機能を提供するこの単一巻線技術の全体の有効性は、特定の変圧器の物理的性質と、変圧器６０１の出力巻線６０５と物理コア６０７の両方に対して最適に巻線を位置付ける能力に依存する。このため、以下に説明される実施形態では、上記で説明された２つの巻線技術を用いる。
【００３４】
図７Ａは、本発明の教示による上述の技術を使用する変圧器７０１の１つの実施形態の概略及び断面の特定の詳細を示す。図７Ｂは本発明の教示による変圧器７０１の１つの実施形態の断面を示す。変圧器７０１のこの設計は、主入力巻線７０３（一次）と変圧器コア７０７との間にキャンセル巻線７０９を有する。更にこの設計は、入力巻線７０３に結合された電源スイッチングレギュレータ回路のための低電圧源としてバイアス巻線７１３を使用する。この場合の平衡巻線７１１は、この特定の設計において、出力巻線７０５が一次入力巻線７０３と二次出力巻線７０５との間に流れる共通モード変位電流の主な発生源であるので、出力巻線７０５に結合される。従って、上記の説明によると、平衡巻線７１１のこの結合は最適性能をもたらす。
【００３５】
以下の表Ｉ、II、III、IVは、本発明の教示による変圧器７０１の１つの実施形態に関する電気仕様、材料、巻線指示、巻線回路接続を要約している。
【００３６】
【表１】
0004689290.tif 000002
【表２】
0004689290.tif 000003
１つの実施形態では、平衡巻線ドット位相が終端していない点に留意されたい。
【００３７】
図８Ａは、本発明の教示による上述の技術を使用する変圧器８０１の１つの実施形態の概略の特定の詳細を示す。図８Ｂは、本発明の教示による変圧器８０１の１つの実施形態の断面を示す。図示された実施形態に示されるように、変圧器８０１の構造は、二次平衡巻線８０３に加えてキャンセル巻線８０４と一次平衡巻線８０２とを有する。１つの実施形態では、変圧器８０１は、複数の出力巻線８０５を含み、これらは、当業者には公知の技術である、他の出力に対して各出力電圧の調整を改善するために交互にされる。
【００３８】
１つの実施形態では、一次平衡巻線８０２に加えて二次平衡巻線８０３の使用は、図８Ａ、８Ｂに示されるように、二次平衡巻線８０３の単一巻線性質が巻線の一方端から他端まで比較的均一な電圧勾配をもたらすので、複数の出力を有する変圧器の構造に限られるものではないが、これに特に有用である。逆にこの二次平衡巻線８０３が存在しない場合は、交互にされた複数の二次巻線８０５の一方端からの電圧勾配は、幾つかの異なる出力電圧巻線から構成されるので均一さが低く、従って、必ずしも変圧器巻線領域８０６の一方の側で始まり巻線領域８０６の他方の側で終わる必要はない。１つの実施形態では、一次平衡巻線８０２と二次平衡巻線８０３の巻数の選択を、これらの巻線間の相対静電界を低減させるよう選択することができ、従って本発明の教示による巻線８０２と８０３との間に流れる変位電流が低減される。
【００３９】
前述の詳細な説明では、本発明の方法及び装置が、本発明の特定の例示的な実施形態に関して説明された。しかしながら、本発明の広範な意図及び範囲から逸脱することなく種々の修正及び変更が行い得ることは明らかである。本明細書及び図面は、従って、制限的なものではなく例示的なものと見なすべきである。
【図面の簡単な説明】
【００４０】
【図１】フライバック電源の概略図である。
【図２】寄生キャパシタンスを示すフライバック電源の概略図である。
【図３】変圧器の概略図（Ａ）と層巻巻線フライバック変圧器の断面図（Ｂ）である。
【図４】本発明の教示によるキャンセル巻線が巻かれた変圧器の１つの実施形態の概略図（Ａ）と断面図（Ｂ）である。
【図５】本発明の教示による平衡巻線を備える変圧器の１つの実施形態の概略図（Ａ）と断面図（Ｂ）である。
【図６】本発明の教示によるキャンセル巻線が巻かれた変圧器の別の実施形態の概略図（Ａ）と断面図（Ｂ）である。
【図７】本発明の教示による変圧器の更に別の実施形態の概略図（Ａ）と断面図（Ｂ）である。
【図８Ａ】本発明の教示による変圧器の別の実施形態の概略図である。
【図８Ｂ】本発明の教示による変圧器の別の実施形態の概略図である。
【符号の説明】
【００４１】
４０１  変圧器、４０３  一次入力巻線、４０５  出力巻線、４０７  変圧器のコア、４０９  キャンセル巻線
【図１】
0004689290.tif 000004
【図２】
0004689290.tif 000005
【図３】
0004689290.tif 000006
【図４】
0004689290.tif 000007
【図５】
0004689290.tif 000008
【図６】
0004689290.tif 000009
【図７】
0004689290.tif 000010
【図８Ａ】
0004689290.tif 000011
【図８Ｂ】
0004689290.tif 000012